(57)【特許請求の範囲】
【請求項１】
カバー固定部に固定されるカバーベースと、該カバーベースとの間に長尺体を収容自在なスペースを確保する状態で前記カバーベースに対して着脱自在なカバー本体と、前記カバーベースに固定された状態で長尺体を支持するクランプとを備えて成る長尺体カバーであって、
前記クランプを、長尺体をクランプして支える支持部と、該支持部を前記カバーベースに固定するための取付部とを備えて構成するとともに、前記長尺体のクランプ位置を前記カバーベースに対する遠近方向に調節可能な調節機構を設け、
前記調節機構を構成するのに、長尺体を内嵌保持可能な一対の保持片から前記支持部を構成するとともに、前記保持片の各々の前記遠近方向の中間部を遠近方向に延びる直線状とすることで、両保持片の直線状の中間部間において前記遠近方向の所定範囲内で長尺体をスライド移動自在にクランプする構成にしてある長尺体カバー。
【請求項２】
前記保持片の各々の前記遠近方向の近端部を長尺体の外径に合わせた円弧状とし、保持片の各々の遠近方向の遠端部を長尺体に抜け止め作用する鈎状にしてある請求項１記載の長尺体カバー。
【発明の詳細な説明】
【０００１】
【発明の属する技術分野】
本発明は、空調用配管、ガス導管、給湯配管、或いは電線等の長尺体を見栄え良く覆って壁面等のカバー固定部に固定させるための長尺体カバーに係り、詳しくは、カバー固定部に対する取付け位置が互いに異なる一対の長尺体どうしを、スペーサー等の間隔調節具を用いることなく、かつ、長尺体を無理に曲げることなく良好に接続できる状態でカバーする技術に関するものである。
【０００２】
【従来の技術】
例えば、配管カバーに内装された互いに径の異なる樹脂製の空調用配管を接続する場合は、図１８に示すように、異径ジョイント４０を用いるようにするのが一般的である。各配管カバー６１，６２は、壁面４４にビス止めされるカバーベース６３，６４と、カバーベース６３，６４に対して着脱自在な断面下向きＵ字状のカバー本体６５，６６と、カバーベース６３，６４に対してその長手方向にスライド自在に支持されるクランプ６７，６８とで構成されている。
【０００３】
この場合、第１配管カバー６１に内装の大径の第１配管ｐ１の壁面４４からの距離ｔ１は、第２配管カバー６２に内装の小径の第２配管ｐ２の壁面４４からの距離ｔ２よりも大きく、単純に配管ｐ１，ｐ２を接続できない。そこで、最も異径ジョイント側の第２配管ｐ２用のクランプ６８を、異径ジョイント４０から大きく離して位置させ、第１配管ｐ１に比べて撓ませ易い第２配管ｐ２を撓ませることで壁面４４からの高さ位置を高くして、第１配管ｐ１の高さレベルにある異径ジョイント４０とを接続させる対処を行なっていた。
【０００４】
【発明が解決しようとする課題】
しかしながら、前記の対処手段では、樹脂管の撓み変形を無理の無い範囲に設定すると、異径ジョイントを挟む配管部分のクランプ間距離が長くなって支持強の点で不利であり、異径ジョイントを挟む配管部分のクランプ間距離を、支持強度を考慮した短めの長さに設定すると、今度は樹脂管の撓み変形が過剰となる無理の生じる傾向があり、配管の支持構造としては改善の余地が残されているものであった。
【０００５】
本発明の目的は、互いに接続される一対の配管等の長尺体どうしの長尺体固定部に対する位置が、前述したように異なっていても、強度不足になるとか、無理に配管を撓ませるといった不都合が無く、良好に支持できる長尺体カバーを得る点にある。
【０００６】
【課題を解決するための手段】
図２に例示する如く、カバー固定部４４に固定されるカバーベース４５と、カバーベース４５との間に長尺体ｐ１を収容自在なスペースを確保する状態でカバーベース４５に対して着脱自在なカバー本体４７と、カバーベース４５に固定された状態で長尺体ｐ１を支持するクランプ４９とを備えて成る長尺体カバーにおいて、
クランプ４９を、長尺体ｐ１をクランプして支える支持部ｓと、支持部ｓをカバーベース４５に固定するための取付部ｔとを備えて構成するとともに、長尺体ｐ１のクランプ位置をカバーベース４５に対する遠近方向に調節可能な調節機構Ｃを設けてもよい。
上記構成によれば、調節機構によって長尺体の支持位置をカバーベースに対して遠近方向に調節できるから、カバーに内装された状態で互いに接続される一対の長尺体どうしのカバー固定部からの高さ位置が違うときには、長尺体の無理の無い単位長さ当たりの撓み量に合わせて、一方又は双方のクランプにおけるカバー固定部に対する長尺体支持位置を遠近方向に調節することが可能になる。故に、カバー長手方向に対するクランプの位置を変更しなくて済むので、従来のように、配管の撓み変形を許容範囲内にするために、クランプ位置を本来の位置からカバー長手方向に遠く離すとか、クランプ位置の異なる別クランプを用いるといった対策が不要であり、良好な支持強度を得るに適した箇所にクランプを配置できるようになる。
【０００７】
図２に例示する如く、調節機構Ｃは、支持部ｓ内において長尺体支持位置がカバーベース４５に対して遠近方向に調節可能なものに構成されていてもよい。
上記構成によれば、位置調節される対象である長尺体を直接に支持する支持部に調節機構が備わっているので、例えば、クランプとカバーベースとの間に調節機構を設けて、支持部が長尺体と一緒に位置調節される構造に比べて、位置調節される側の部分を少なくすることができる。これにより、調節機構の構造を簡略化することができるとか、支持部が長尺体を支持するに比べて、支持強度的には条件の厳しくなるカバーベースと取付部との固定部は、例えば、ボルト止めするとか、圧入して嵌め込む等の単純な構造で済むようになる。
上記構成の長尺体カバーでは、調節機構を支持部に設けることにより、位置調節される側の部分を少なくして位置調節操作が簡単で楽に行なえるとか、調節機構の構造簡素化、並びにそれによるコストダウンが図れる利点がある。
【０００８】
図２に例示する如く、支持部ｓは、長尺体ｐ１の幅よりも小さい開口幅を持つ開口部４９ｃが上端部に形成され、かつ、開口幅が長尺体ｐ１の幅以上となるまで弾性変形自在な可撓性を備えたものに構成されていてもよい。
上記構成によれば、支持部の上端部に形成された開口部の開口幅を、長尺体の幅よりも狭いものに設定しながら、撓み変形によって開口幅を長尺体の幅以上に広げることができるから、開口部を長尺体の幅以上に広げることで支持部内に長尺体を入れ込むことができるとともに、長尺体が支持部内に入れられた状態では開口部の開口幅は長尺体の幅より狭い状態に戻っており、長尺体の支持部からの抜け出しを規制するようになる。
つまり、長尺体を開口部に押付ける操作を行なうだけで、開口部を押し開いて支持部内に入れ込めるようになり、かつ、入れ込まれた状態では開口部からの長尺体の抜け出しが規制されてのクランプ状態が現出されるのである。従って、抜き出すには、長尺体を強制的に開口部方向に引き抜き操作するだけで、開口部が撓んで開き変形して抜き出すことができるようになる。
上記構成の長尺体カバーでは、支持部上端の開口部に対して長尺体を押付ける操作でクランプへの装着が、かつ、引き抜き操作でクランプからの抜き出しが自在であり、クランプ操作及びクランプ解除操作のいずれもが単一操作で行なえる便利なものにできた。
上記のいずれの構成の長尺体カバーでも、長尺体支持位置をカバー固定部に対する遠近方向で調節可能なクランプを用いて長尺体をカバーに内装させる工夫により、長尺体固定部に対する離れ位置が互いに異なる長尺体どうしを、適切な間隔による十分な支持強度で、かつ、支障の無い撓み変形状態で長尺体の支持及びカバーリングができるようになった。
【０００９】
請求項１の構成は、カバー固定部に固定されるカバーベースと、該カバーベースとの間に長尺体を収容自在なスペースを確保する状態で前記カバーベースに対して着脱自在なカバー本体と、前記カバーベースに固定された状態で長尺体を支持するクランプとを備えて成る長尺体カバーであって、
前記クランプを、長尺体をクランプして支える支持部と、該支持部を前記カバーベースに固定するための取付部とを備えて構成するとともに、前記長尺体のクランプ位置を前記カバーベースに対する遠近方向に調節可能な調節機構を設け、
前記調節機構を構成するのに、長尺体を内嵌保持可能な一対の保持片から前記支持部を構成するとともに、前記保持片の各々の前記遠近方向の中間部を遠近方向に延びる直線状とすることで、両保持片の直線状の中間部間において前記遠近方向の所定範囲内で長尺体をスライド移動自在にクランプする構成にしてあることを特徴とするものである。
請求項２の構成は、前記保持片の各々の前記遠近方向の近端部を長尺体の外径に合わせた円弧状とし、保持片の各々の遠近方向の遠端部を長尺体に抜け止め作用する鈎状にしてあることを特徴とするものである。
【００１７】
【発明の実施の形態】
−第１実施形態−
【００１８】
図１は、直線状の配管カバー４１，４２で覆われた状態で互いに径の異なる空調用配管（長尺体の一例）ｐ１，ｐ２を、異径ジョイント４０を介して連通接続してある状況を示している。径の大きい第１配管ｐ１を内装する第１配管カバー４１と、径の小さい第２配管ｐ２を内装する第２配管カバー４２との間における異径ジョイント４０部分は、両配管カバー４１，４２に亘る状態の段違いカバー４３を用いてカバーしてある。
【００１９】
各配管カバー４１，４２は、壁面（カバー固定部の一例）４４に固定されるカバーベース４５，４６と、このカバーベース４５，４６との間に配管ｐ１，ｐ２を収容自在なスペースを確保する状態にカバーベース４５，４６に対して着脱自在なカバー本体４７，４８と、カバーベース４５，４６に支持されるクランプ４９，５０とで構成されている。各配管カバー４１，４２は、大きさが異なるが構造は同じであるので、第１配管カバー４１のもので構造を説明する。
【００２０】
図２に示すように、カバーベース４５には、クランプ４９を嵌め入れるための対向は位置される一対の内向きレール部４５ａ，４５ａと、カバー本体４７を嵌め込むための一対の外向き係入部４５ｂ，４５ｂが形成されている。ビス４で壁面４４に固定されたカバーベース４５に対して、クランプ４９を、隣合うビス４，４間にてカバー長手方向にスライド移動可能に係合支持してある。クランプ４９は、配管ｐ１に外囲して支える支持部ｓと、支持部ｓをカバーベース４５に固定するための取付部ｔとを有するとともに、配管ｐ１の支持位置を壁面４４に対する遠近方向に調節可能な調節機構Ｃを設けて構成されている。
【００２１】
径の大きい配管ｐ１用の大クランプ４９は、一対のレール部４５ａ，４５ａに嵌合する脚片４９ａ，４９ａと、配管ｐ１を内嵌保持可能な一対の保持片４９ｂ，４９ｂを有した管軸方向に短い短冊状のものであり、脚片４９ａ，４９ａが取付部ｔに、かつ、保持片４９ｂ，４９ｂが支持部ｓに夫々相当している。保持片４９ｂは、その下端部（つまり、前記遠近方向の近端部）は配管ｐ１の外径に合わせた円弧状に、上端部（つまり、前記遠近方向の遠端部）は配管ｐ１に抜け止め作用する鈎状に、そして上下中間部（つまり、前記遠近方向の中間部）は上下方向に延びる直線状とすることで、配管ｐ１を壁面４４に対して上下方向（遠近方向）に所定範囲内でスライド移動自在にクランプする調節機構Ｃとしてある。
【００２２】
配管ｐ１を大クランプ４９にクランプさせるには、上方から大クランプ４９に押し込めば、一対の保持片４９ｂ，４９ｂが弾性変形してそれらの間の開口部４９ｃの開口幅を広めることで嵌め入れることができる。そして、弾性を有した合成樹脂製の大クランプ４９は、隣合うビス４どうしの間ではスライド自在であり、その範囲内では管軸方向の配管保持位置を自由に設定することができる。因みに、ビス４を皿ネジとして、カバーベース４５の上面から突出しないようにすれば、大クランプ４９を制限無くスライド可能である。
【００２３】
又、カバー本体４７は、半円弧状の上部４７Ａの両側にスカート部４７Ｂ，４７Ｂを備えた断面逆向き略Ｕ字形状を呈し、係入部４５ｂに係合する一対の突起４７ａを各スカート部４７Ｂに形成してある。従って、図２に示すように、カバー本体４７が弾性拡径変形して突起４７ａ，４７ａが係入部４５ｂ，４５ｂを乗り越えてから係合することができるので、カバー本体４７を上方から落とし込み操作することで、カバーベース４５に装着することができる。
【００２４】
図１に示すように、大径配管ｐ１と小径配管ｐ２とを異径ジョイント４０を介して連通接続させると、各配管ｐ１，ｐ２の壁面４４からの基準設置高さＬ１、Ｌ２は、Ｌ１＞Ｌ２の関係となり、異径ジョイント４０の前後における配管ｐ１，ｐ２の撓みにより、その段差Ｌ１−Ｌ２を吸収するようになる。故に、異径ジョイント４０前後における配管クランプ位置高さは、それ以外の箇所と異なることとなるが、各クランプ４９，５０には前述した調節機構Ｃが備わっているので、異径ジョイント４０の直前及び直後においても、各配管ｐ１，ｐ２を不都合無くクランプすることができる。
【００２５】
ところで、異径ジョイント４０の直前及び直後のクランプ４９，５０以外は、原理図である図３に示すように、カバー本体４７の中心位置（前述の基準設置高さ位置）でクランプできる配管カバー４１でも良い。すなわち、円弧状の保持片５１ｂと脚片５１ａとで成り、調節機構Ｃを持たない固定クランプ５１を用いて配管ｐ１をクランプしてある配管カバー４１である。
【００２６】
尚、図２に仮想線で示すように、配管ｐ１を円弧状のスペーサ７５に載置した状態でクランプ４９に入れ込み、支持部ｓの上下中央部等の所望の高さ位置に配管ｐ１を安定維持させるようにしても良い。
【００２７】
−第２実施形態−
【００２８】
図４，５に、室内にて配管された給湯管Ｐ（長尺体の一例）の隅部における方向変換部分が示されている。給湯管Ｐは、保護及び見栄えを目的とした配管カバーＢ（長尺体カバーの一例）で覆われており、配管カバーＢは、ストレート管５を覆う直線配管カバー６、エルボ管７部分を覆う屈曲配管カバー８、直線配管カバー６と屈曲配管カバー８とに跨る連結カバー９等から構成されている。
【００２９】
室内の隅では、ｅ壁とｆ壁とｇ壁とが交わるところであり、一方の直線配管カバー６はｆ壁に対して取付けられており、他方の直線配管カバー６はｇ壁に対して取付けられている。つまり、向かい合う直線配管カバー６，６は、配管カバーＢに内装される給湯管Ｐの軸心ｘに関して互いに９０度捩じられた姿勢で、かつ、互いに異なる面に取付けられており、後述する理由（ｄ１≠ｄ２の関係。図１９参照）によって、三次元的な屈曲配管経路が形成されている。
【００３０】
つまり、一方の直線配管カバー６の軸心ｘ１と、他方の直線配管カバー６の軸心ｘ２とが交わらず、段差ａが付いた状態でのエルボ管７を配管するものである。そこで、断面円形の屈曲配管カバー８と、一対の連結カバー９，９、及び一対の固定ブラケット１０，１０等から、三次元的に曲がる方向転換部分を、その双方の軸心ｘ１，ｘ２が交わらない芯ずれを吸収しながら上手く覆う屈曲カバー機構Ａを構成してある。この実施形態では、屈曲配管カバー８が長尺体カバーＢ１に、かつ、連結カバー９と固定ブラケット１０とで長尺体カバーＢ２に夫々相当して嵌合部Ｚを形成しているものである。次に、各部品の構造について説明する。
【００３１】
図６に示すように、直線配管カバー６，６は、ｆ壁等の面（ｗ１）にビス４で固定されるカバーベース１と、カバー本体２と、隣合うビス４，４間にてカバー長手方向にスライド移動自在にカバーベース１に係合支持されたクランプ３とから構成されている。カバーベース１には、クランプ３を嵌め入れるための対向配置される一対の内向きレール部１ａ，１ａと、カバー本体２を嵌め込むための一対の外向き係入部１ｂ，１ｂが形成されており、カバーベース１に対して、クランプ３を、隣合うビス４，４間にてカバー長手方向にスライド移動可能に係合支持してある。
【００３２】
カバー本体２は、半円弧状の上部２Ａの両側にスカート部２Ｂ，２Ｂを備えた断面逆向き略Ｕ字形状を呈し、係入部１ｂに係合する一対の突起２ａを各スカート部２Ｂに形成してある。カバー本体２は、カバーベース１に対して上方から落とし込み操作すれば、カバー本体２が弾性拡径変形して突起２ａ，２ａが係入部１ｂ，１ｂを乗り越えてから係合することができる。その乗り越え時のカバー本体２の外方への変位量ΔＤを、カバー本体２の設置状態において壁面から離しておく必要がある。
【００３３】
クランプ３は、配管Ｐに外囲して支える支持部ｓと、支持部ｓをカバーベース１に固定するための取付部ｔとを有するとともに、配管Ｐの支持位置を壁面に対する遠近方向に調節可能な調節機構Ｃを設けて構成されていおり、１個の直線配管カバー６につき複数個装備されている。
【００３４】
クランプ３は、一対のレール部１ａ，１ａに嵌合する脚片３ａ，３ａと、配管Ｐを内嵌保持可能な一対の保持片３ｂ，３ｂを有した管軸方向に短い短冊状のものであり、脚片３ａ，３ａが取付部ｔに、かつ、保持片３ｂ，３ｂが支持部ｓに夫々相当している。保持片３ｂは、その下端部は配管Ｐの外径に合わせた円弧状に、上端部は配管Ｐに抜け止め作用する鈎状に、そして上下中間部は上下方向に延びる直線状とすることで、配管Ｐを壁面ｗ１に対して上下方向（遠近方向）に所定範囲内でスライド移動自在にクランプする調節機構Ｃとしてある。
【００３５】
クランプ３は、隣合うビス４どうしの間ではスライド自在であり、その範囲内では管軸方向の配管保持位置を自由に設定することができる。配管Ｐをクランプ３に押し込めば、保持片３ｂ，３ｂが弾性変形して上端の開口部３ｃから嵌め入れることができる。クランプ３に調節機構Ｃを備えてあるので、後述するｄ１≠ｄ２の関係故に、エルボ管７の前後における配管Ｐに生じる若干の撓みを許容しながら、配管Ｐの長手方向に対する左右の位置決め作用、及び所定範囲内での上下方向の位置決め作用を得ている。
【００３６】
図４，７，１３に示すように、Ｌ字状の屈曲配管カバー８は、これの軸心８ｔに沿う面、詳しくは、屈曲軸心８ｔを全て含んだ面を割面とした基カバー８Ａと蓋カバー８Ｂとから成る２分割構造に構成されており、その両側の先端部８ｓには先細り形状となるテーパ面１１が施されている。両カバー８Ａ，８Ｂは、蓋カバー８Ｂが外側となる周縁の段差嵌合部１２と、基カバー８Ａが凹部１３ａで、かつ、蓋カバー８Ｂが凸部１３ｂとなる５箇所の凹凸嵌合部１３とによって嵌合されている。各カバー８Ａ，８Ｂには、直線配管カバー６，６双方の軸心ｘ１，ｘ２が交わる場合（図１９のｄ１＝ｄ２である）に、直接壁面にビス止め可能とするための孔を後で形成し易くする凹み１４を形成してある。
【００３７】
図８，１３に示すように、連結カバー９は、円弧形状の上部９Ａの両側にスカート部９Ｂ，９Ｂを備えた断面逆向き略Ｕ字形状を呈し、直線配管カバー側端部の外郭形状を、先細り状となるテーパ面１５に形成し、かつ、屈曲配管カバー側端部の内郭形状を、先拡がり状となるテーパ面１６に形成してある。この内側のテーパ面１６のテーパ角度は、屈曲配管カバー８のテーパ面１１のテーパ角度よりも緩いものに設定されている（図１５参照）。連結カバー９の内面には、屈曲配管カバー８の挿入限界を規定することが可能な内周リブ１７と、各スカート部９Ｂの内側に位置するフック部１８，１８が一体形成されている。
【００３８】
図９，１１に示すように、固定ブラケット１０は、ビス４で壁面に固定される基部１９に、屈曲配管カバー８を係合させるための管軸方向に突出した円弧突起２０、直線配管カバー６，６のカバーベース１の壁面からの浮き上がりを規制して保持する押え面２１、連結カバー９のフック部１８を係止させるための一対の係合部２２，２２、及び、蛇腹カバー（図示せず）の端部を引っ掛けて係止するための一対の引掛け部２３，２３を一体形成した多機能部品に構成されている。
【００３９】
円弧突起２０は、基部１９から立ち上がる縦壁２４から突設してあるとともに、縦壁２４の付け根部分の基部１９には、縦壁２４の基部１９からの除去を容易化するための切り込み２５が形成されている。縦壁２４の両側に間隙を持って配置される引掛け部２３は、角孔２６ａを備えて横向きに突出する下側突片２６と、同様に横向きに突出する上側突片２７とで形成されている。係合部２２は、突起２２ａと凹入面２２ｂとを備えて構成されている。
【００４０】
下側突片２６の根元から立ち上げられて上側突片２７を支える一対の脇縦壁２８，２８には、円弧突起２０と同じ中心を有して、かつ、若干径の大きい円弧端面２８ａが形成してある。この円弧端面２８ａは、管軸方向での厚みが先端程薄くなる先細り状に尖らせてあり、長さ方向の途中で寸断された蛇腹カバー（図示せず）の蛇腹部分を引っ掛けられるように設定してある。
【００４１】
図１０に、仮固定状態の屈曲配管カバー８を本固定するための係止片３０を示す。係止片３０は、屈曲配管カバー８の外径に沿った円弧端面３１ａを有した略三角形の隠し壁３１に、下側突片２６と上側突片２７との間に嵌まり込む側方突片３２を形成して構成されている。側方突片３２には、挿入限界を規定するストッパ３２ａを形成してある。
【００４２】
次に、屈曲カバー機構Ａを用いて屈曲配管部分をカバーリングする手順を説明する。図１１に示すように、先ず、ｆ壁とｇ壁の夫々にカバーベース１をビス４を用いて固定し、それらカバーベース１，１の端部のレール部１ａ，１ａに、固定ブラケット１０の押え面２１を嵌め入れる。次いで、一方の固定ブラケット１０のみをｇ壁にビス４で固定して、他方の固定ブラケット１０が動きうる状態で、図１２，１４に示すように、基カバー８Ａの各端部を、各円弧突起２０の外側（壁側）に嵌め入れ、それから他方の固定ブラケット１０をｆ壁にビス４で固定する。
【００４３】
この場合、基カバー８Ａの各端部を各円弧突起２０の外側に嵌め入れてから、両固定ブラケット１０，１０をビス止めするやり方も可能である。但し、一対の係止片３０，３０のうち、ｅ壁とｇ壁側のものは、基カバー８Ａの装着後には取付けることができないので、基カバー８Ａの装着前に嵌め入れておくようにすると良い。
【００４４】
これにより、両カバーベース１，１と両固定ブラケット１０，１０が固定され、かつ、基カバー８Ａが仮固定された状態になり、この状態でストレート管５、エルボ管７、これら両管５，７を接続するソケット管２９から成る給湯管Ｐを、クランプ３を用いてカバーベース１に係止保持させる。このとき、一方のストレート管５の軸心ｘ１と、他方のストレート管５の軸心ｘ２が交わらずに段差ａを生じているので（図５参照）、各ベースカバー１，１の最もエルボ管７側のクランプ３，３間における給湯管Ｐの撓みによってその段差ａが吸収される。
【００４５】
次に、図１３に示すように、各ベースカバー１，１にカバー本体２を嵌め込んで装着するとともに、蓋カバー８Ｂを基カバー８Ａに嵌め入れて屈曲配管カバー８を形成し、それから壁側でない側の係止片３０を各固定ブラケット１０に装備して、４個の係止片３０により、円弧突起２０の外周面に先細り先端部８ｓを押付け、仮固定状態にある屈曲配管カバー８を本固定させる。そして最後に、各連結カバー９，９を各固定ブラケット１０，１０に嵌め込んで装着することで、コーナー部分における給湯管Ｐの配管及びそのカバーリングが完了する。
【００４６】
本実施形態では、長尺体カバーＢ２としてのカバーベースｉである固定ブラケット１０に対する「カバー固定対象部側」はｆ壁に、長尺体カバーＢ１としてのカバーベースｈである基カバー８Ａに対する「カバー固定対象部側」は固定ブラケット１０に夫々相当するものである。
【００４７】
ところで、エルボ管７の両側に存在する直線配管カバー６，６間には、方向が９０度変更されるだけでなく、その曲がり方向に直交する方向に段差ａが付いているので、その段差ａを吸収して屈曲カバー機構Ａは三次元屈曲するような状態になる。屈曲配管カバー８と連結カバー９とは、若干の隙間を見込んだ遊嵌状態での円弧嵌合とされているので、屈曲配管カバー８の軸心８ｔを直線配管カバー６の軸心ｘ１又はｘ２を中心とした相対回動移動が自在（第１融通と定義する）であるとともに、屈曲配管カバー８の軸心８ｔが直線配管カバー６の軸心ｘ１又はｘ２に対して傾く折れ曲がり移動がある程度可能（第２融通と定義する）であり、この２種の融通によって前述の段差ａを吸収できるようになっている。その吸収形態としては次のような状況が考えられる。
【００４８】
< １> 屈曲配管カバー８の一方の端部が連結カバー９に対して管軸心Ｐ周りに  回動し、かつ、屈曲配管カバー８の他方の端部が連結カバー９に対して管軸方向で下方に傾く。これは、一方の連結カバー９部分では第１融通のみが機能し、他方の連結カバー９部分では第２融通のみが機能している状況である。
< ２> 屈曲配管カバー８の両端部が、いずれも各連結カバー９，９に対して管  軸心Ｐ周りに回動するとともに管軸方向で傾く。この傾きは、一方は下方に傾き、他方は上方に傾く。これは、いずれの連結カバー９部分でも、第１融通と第２融通の双方が機能している状況である。これら第１融通や第２融通は次のような問題を解決できる利点がある。
【００４９】
すなわち、実公平７−３６２３４号公報の図１に示された従来の屈曲カバー機構では、配管の敷設場所条件によっては、屈曲配管カバーを円滑に装備し難い状態となることがあった。すなわち、図４に示すように、エルボの両側に配置される直線配管カバーが、それらカバーに内装される配管の軸心に関して互いに９０度捩じられた姿勢で、かつ、互いに異なる面に取付けられることにより、一方の直線配管カバーでの設定配管中心と、他方の直線配管カバーでの設定配管中心とが互いに交わらず、三次元的な屈曲配管経路が形成される場合である。それは、次のような原因に因る。
【００５０】
図１９に示す従来のカバー構造では、直線配管カバーは、構造物の面に固定されるカバーベース１と、このカバーベース１に対して着脱自在に取付けられるカバー本体２と、カバーベース１に設けられた配管支持用のクランプ３とから構成されており、全体としての断面形状は、矩形における壁面と反対側の一辺が半円形に丸められた略カマボコ形を呈している。そして、半円形辺を円弧とする径の中心Ｘに配管Ｐが位置するようにクランプ３が形成されており、配管Ｐの直下位置にカバーベース１を壁面に固定するためのビス４が配置されている。
【００５１】
又、種々の配管径に対応可能となるように、配管Ｐの外周とカバー本体２の内周とに所定の間隙を設けるとか、カバー本体２をカバーベース１に弾性的に係合させるための外側への膨出変形空間ΔＤを確保するといった諸条件を満たすように設計すると、カバーベース１の取付対象壁面ｗ１と配管軸心ｘとの間隔ｄ１と、近接する横側方の壁面ｗ２と配管軸心ｘとの間隔ｄ２とには、ｄ１≠ｄ２の関係が生じることとなり、これが前述した原因である。
【００５２】
従って、屈曲配管カバーを直線配管カバーに直接に接続させる構造では、ｄ１≠ｄ２の関係を満たすべく、種々の施工状況に即した偏心量が施された複数種の屈曲配管カバーがその都度必要になるから、いきおい、成形金型が多くなってコスト高になってしまう。そこで、実公平７−３６２３４号公報の図７に示されたもののように、エルボ管部分を覆う断面円形の屈曲カバー本体と、該屈曲カバー本体の端部と直線配管カバーの端部とに亘って外装される連結カバーの一対と、の３部品を用いる構造を踏襲することにより、複数種の屈曲配管カバーを用意すること無く良好にカバーさせることが考えられた。
【００５３】
すなわち、前述したｄ１≠ｄ２の関係によって直線配管カバーと屈曲配管カバーとの接続箇所が傾くとか、両者の隙間が均一に取れない等の接続ずれを、連結カバーで覆うことによって外観を向上できるとともに、屈曲配管カバーと連結カバーとは１種類で良く、部品点数は増えるが金型費を削減できる点で汎用性が備わるようになり、全体としてはコストダウンできる合理的な手段としてである。
【００５４】
しかしながら、前記公報の図７に示された構造そのままでは、前述の３次元的に曲がる屈曲部を見栄え良くカバーすることが依然として難しいことが分かってきたのである。つまり、実公平７−３６２３４号公報の図７に示されたものでは、一対の連結カバーを壁面にビス止め固定し、かつ、屈曲配管カバーは、これと連結カバーとを周溝嵌合させることで相対姿勢が固定された状態で装備される構造であるから、互いに壁面に固定された連結カバーと屈曲配管カバーとの姿勢のずれを吸収する部分が存在しない。
【００５５】
故に、前述したｄ１≠ｄ２が存在する場合には、取付け施工ができない又は行ない難いとか、無理に取付けて周溝嵌合部や屈曲カバー本体を破損させてしまう等の不都合が生じ易いものであり、無理なく円滑に施工できるようにするには更なる改善の余地が残されているものであった。
【００５６】
そこで、この第２実施形態で示された構造、即ち、内嵌側のカバー端部を先細り状として嵌合させることにより、前記< １> や< ２> で述べたように、長尺体カバーどうしである屈曲カバー本体８と連結カバー９とを、これらの両者の相対折れ曲がり変位や相対角度変位を無理なく吸収しながらも、端部どうしの隙間を小さくして目立たないようにしながら接続できる状態が得られるようになったのである。
【００５７】
そして、各直線配管カバー６，６におけるクランプに、配管Ｐの支持高さ位置を調節可能な調節機構Ｃを設けたので、前述したように融通の効くエルボ７及びエルボカバー８を設けても、尚存在する両配管Ｐ，Ｐの高さ違いを吸収して、エルボ７の直前及び直後の各位置においてクランプ３で配管Ｐをクランプすることに成功している。
【００５８】
〔別実施形態〕
図１６に示すように、開閉自在な支持部ｓに調節機構Ｃを備えてクランプ６９を構成しても良い。プラスチック製の支持部ｓを、取付部６９ａに続く下部受け部６９ｂと、これにヒンジ部６９ｃを介して一体形成された上部受け部６９ｄとで、閉じ状態で長孔状の内面形状を呈する支持部ｓを構成してあり、上下の受け部６９ｄ，６９ｂはスクリュー７０等で相対固定自在とする。スクリュー７０を緩めれば、ヒンジ部６９ｃを用いて上部受け部６９ｄを下部受け部６９ｂに対して揺動開閉自在であり、開いた状態で配管ｐ１を入れスクリュー７０を締め付けることでクランプ操作を行なえる。スクリュー７０に代えて、上下の受け部６９ｄ，６９ｂを嵌め込み式で相対固定及び解除自在としても良い。
【００５９】
図１７に示すように、支持部ｓの二股状脚部７１を、逆Ｔ字状の取付部ｔの上方突出部７２に挟み込んでビス７３止めすることにより、支持部ｓと取付部ｔとに亘って緒説機構Ｃが構成されたクランプ７４でも良い。この場合では、二股状脚部７１と上方突出部７２とに、ビス７３の挿入孔を上下に複数形成するかとか、これら双方７１，７２に上下に長い長孔を設けて、配管ｐ１のクランプ高さ位置を調節できるようにすることが可能である。
【図面の簡単な説明】
【図１】異径ジョイント前後での配管状態を示す側面図
【図２】配管カバーの断面図
【図３】調節機構を持たない配管カバーの断面図
【図４】入隅における給湯管を覆う屈曲カバー機構の構造を示す断面平面図
【図５】直線配管カバーどうしの相対段差を示す斜視図
【図６】直線配管カバーの構造を示す断面図
【図７】屈曲カバー本体の構造を示す断面図
【図８】連結カバーを示す断面図
【図９】ブラケットの形状と構造を示す三面図
【図１０】係止片の形状と構造を示す三面図
【図１１】エルボ部分でのカバー施工手順を示す作用図その１
【図１２】エルボ部分でのカバー施工手順を示す作用図その２
【図１３】エルボ部分でのカバー施工手順を示す作用図その３
【図１４】屈曲カバー本体と固定ブラケットとの接続状態を示す部分図
【図１５】連結カバー部分でのカバー接続状態を示す断面図
【図１６】調節機構の別構造を示す正面図
【図１７】調節機構の別構造を示す正面図
【図１８】従来の異径ジョイント前後での配管状態を示す側面図
【図１９】従来の壁際での配管取付状態を示す断面図
【符号の説明】
４４          カバー固定部
４５          カバーベース
４７          カバー本体
４９          クランプ
４９ｃ        開口部
ｓ            支持部
ｔ            取付部
ｐ１          長尺体
Ｃ            調節機構
【図１】
0004627837.tif 000002
【図２】
0004627837.tif 000003
【図３】
0004627837.tif 000004
【図４】
0004627837.tif 000005
【図５】
0004627837.tif 000006
【図６】
0004627837.tif 000007
【図７】
0004627837.tif 000008
【図８】
0004627837.tif 000009
【図９】
0004627837.tif 000010
【図１０】
0004627837.tif 000011
【図１１】
0004627837.tif 000012
【図１２】
0004627837.tif 000013
【図１３】
0004627837.tif 000014
【図１４】
0004627837.tif 000015
【図１５】
0004627837.tif 000016
【図１６】
0004627837.tif 000017
【図１７】
0004627837.tif 000018
【図１８】
0004627837.tif 000019
【図１９】
0004627837.tif 000020